(57)【要約】【課題】従来のノズルに比べてより確実に、気泡混入水を溶解部に流入させて、気泡混入水によって溶解部に配置される固形剤を溶解させて所定の溶液とし、所定の液体を溶解部から流出させることができるノズルを提供することを課題とする。【解決手段】気泡混入水を吐出するとともに所定の溶液を吐出するように構成されるノズル１であって、絞り部１２から下流側へ水が流出することによって吸引されて所定の液体が流出するとともに気泡混入水のうち少なくとも一部が流入するように構成される溶解部１５を具備する。【選択図】図１
2014050772.tif 000002
【特許請求の範囲】
【請求項１】
水が流入する流入部と、
前記流入部から流入した水の流れを絞って前記水の流速を増加させる絞り部と、
前記絞り部から下流側へ流出する水に空気が吸引されて前記空気が混入されることによって前記絞り部から下流側へ流出する水が気泡混入水となるように、前記空気を導入する空気導入部と、
前記気泡混入水によって固形剤を溶解させて、前記気泡混入水を所定の溶液として流出するように構成される溶解部と、
を具備し、前記気泡混入水を吐出するとともに前記所定の溶液を吐出するように構成されるノズルであって、
前記溶解部は、前記絞り部から下流側へ水が流出することによって吸引されて前記所定の液体が前記溶解部から流出するとともに、前記気泡混入水のうち少なくとも一部が前記溶解部に流入するように構成されるノズル。
【請求項２】
前記気泡混入水が当接することによって、前記気泡混入水の水勢が弱まるとともに前記気泡混入水が拡散するように構成される拡散部を具備する、
請求項１に記載のノズル。
【請求項３】
筒状に構成されるものであり、前記拡散部に当接して拡散した前記気泡混入水がその内面に当接するように配置されるとともに、前記内面に当接した前記気泡混入水が下流側端部の開口から流出するように構成される、筒部材を具備する、
請求項２に記載のノズル。
【発明の詳細な説明】
【技術分野】
【０００１】
本発明は、ノズルの技術に関する。
【背景技術】
【０００２】
従来、水が流入する流入部と、流入部から流入した水の流れを絞って水の流速を増加させる絞り部と、絞り部から下流側へ流出する水に空気が吸引されて空気が混入されることによって絞り部から下流側へ流出する水が気泡混入水となるように空気を導入する空気導入部と、を具備するノズルの技術は公知となっている（特許文献１参照）。
前記ノズルは、食物、動物、人体、金属製部材、樹脂製部材、建造物等の洗浄対象に筋状の気泡混入水を吐出して当該洗浄対象を洗浄する用途に用いられる。
【０００３】
また、前記ノズルには、流入部、絞り部、および、空気導入部に加えて、気泡混入水によって固形剤を溶解させて気泡混入水を所定の溶液として流出するように構成される溶解部を具備し、気泡混入水を吐出するとともに所定の溶液を吐出するように構成されるものがある。
ここで、固形剤とは、気泡混入水が接触することによって溶解可能なもの（例えば、気泡混入水（水）が接触することによって溶解可能な、固形洗剤、固形塗料剤、固形薬剤、または、固形炭酸剤等）を示す。
また、所定の溶液とは、固形剤が溶解されたものが気泡混入水に混入されたものを示す。
【先行技術文献】
【特許文献】
【０００４】
【特許文献１】特開昭５２−９４５１３号公報
【発明の概要】
【発明が解決しようとする課題】
【０００５】
しかしながら、前記溶解部を具備するノズルには、例えば、溶解部が絞り部の下流側に配置され、気泡混入水の水勢によって押し込むようにして溶解部に気泡混入水を流入させる構成のものがある。つまり、前記ノズルは、絞り部から下流側へ水が流出しても、所定の溶液が吸引されて溶解部から流出するように構成されるものではなく、また、気泡混入水が吸引されて溶解部に流入するように構成されるものではない。
このように構成される前記ノズルでは、気泡混入水の水勢によって押し込むようにして十分に溶解部に気泡混入水を流入させることができず、溶解部に、気泡混入水を溶解部に確実に流入させることができない場合（固形剤を溶解させて十分な量の所定の溶液とすることができない場合）がある。また、このように構成される前記ノズルでは、気泡混入水の水勢によって押し込むようにして十分に溶解部に気泡混入水を流入させることができず、所定の液体を溶解部から確実に量の流出させることができない場合がある。
【０００６】
本発明は以上の如き状況に鑑みてなされたものであり、従来のノズルに比べてより確実に、気泡混入水を溶解部に流入させて、気泡混入水によって溶解部に配置される固形剤を溶解させて所定の溶液とし、所定の液体を溶解部から流出させることができるノズルを提供することを課題とする。
【課題を解決するための手段】
【０００７】
本発明の解決しようとする課題は以上の如くであり、次にこの課題を解決するための手段を説明する。
【０００８】
即ち、請求項１においては、水が流入する流入部と、前記流入部から流入した水の流れを絞って前記水の流速を増加させる絞り部と、前記絞り部から下流側へ流出する水に空気が吸引されて前記空気が混入されることによって前記絞り部から下流側へ流出する水が気泡混入水となるように、前記空気を導入する空気導入部と、前記気泡混入水によって固形剤を溶解させて、前記気泡混入水を所定の溶液として流出するように構成される溶解部と、を具備し、前記気泡混入水を吐出するとともに前記所定の溶液を吐出するように構成されるノズルであって、前記溶解部は、前記絞り部から下流側へ水が流出することによって吸引されて前記所定の液体が前記溶解部から流出するとともに、前記気泡混入水のうち少なくとも一部が前記溶解部に流入するように構成されるものである。
【０００９】
請求項２においては、前記気泡混入水が当接することによって、前記気泡混入水の水勢が弱まるとともに前記気泡混入水が拡散するように構成される拡散部を具備するものである。
【００１０】
請求項３においては、筒状に構成されるものであり、前記拡散部に当接して拡散した前記気泡混入水がその内面に当接するように配置されるとともに、前記内面に当接した前記気泡混入水が下流側端部の開口から流出するように構成される、筒部材を具備するものである。
【発明の効果】
【００１１】
本発明の効果として、以下に示すような効果を奏する。
【００１２】
即ち、本発明によれば、従来のノズルに比べてより確実に、気泡混入水を溶解部に流入させて、気泡混入水によって溶解部に配置される固形剤を溶解させて所定の溶液とし、所定の液体を溶解部から流出させることができる。
【図面の簡単な説明】
【００１３】
【図１】本発明の第一実施形態に係るノズルを分解した状態を示した正面図。
【図２】同じくノズルの正面図。
【図３】同じくノズルの断面図。
【図４】同じくノズルにおける絞り部材を示した底面図。
【図５】同じくノズルの一部拡大断面図。
【図６】本発明の第二実施形態に係るノズルの断面図。
【図７】本発明の第三実施形態に係るノズルを分解した状態を示した正面図。
【図８】同じくノズルの断面図。
【発明を実施するための形態】
【００１４】
次に、本発明の第一実施形態にノズル１について、図１から図５を用いて説明する。なお、図中における矢印Ａは、気泡混入水が流れる方向を示すものとして説明する。
【００１５】
ノズル１は、水の流出口からノズル１に流入した水に空気を混入させて気泡混入水として、当該気泡混入水を吐出するように構成される。
ノズル１は、図１乃至図４に示すように、流入部１１と、絞り部１２と、空気導入部１３と、拡散部１４と、溶解部１５と、を具備し、全体的に略筒状に形成される。
【００１６】
ノズル１の流入部１１は、水の流出口に接続されて、当該水の流出口（例えば、ホース）から流出する水がノズル１内に流入する部分である。
【００１７】
ノズル１の絞り部１２は、流入部１１からノズル１内に流入した水の流れを絞って水の流速を増加させる部分である。ノズル１の絞り部１２は、流入部１１よりも下流側に配置される。ノズル１は、絞り部１２から下流側へ流出する水の流速が、絞り部１２の上流側よりも増加するように構成される。
【００１８】
ノズル１の空気導入部１３は、絞り部１２から下流側へ流出する水（水の流出口から流入した水）に空気が吸引されて当該空気が混入されることによって、絞り部１２から下流側へ流出する水が気泡混入水となるように、ノズル１内に空気を導入する部分である。
ノズル１の空気導入部１３は、ノズル１外から、空気導入部１３における空気の入口の開口１３ａ（以下、「入口の開口１３ａ」という）を介して、ノズル１における絞り部１２の下流側部分近傍に空気を導入するように構成される。ノズル１の空気導入部１３における空気の出口の開口１３ｂ（以下、「出口の開口１３ｂ」という）は、ノズル１内における絞り部１２の下流側部分近傍に形成される。ノズル１内には、空気導入部１３の出口の開口１３ｂから空気が導入される。
【００１９】
ノズル１の拡散部１４は、気泡混入水の水勢を弱めるとともに、気泡混入水を拡散させるものである。
ノズル１の拡散部１４は、絞り部１２および空気導入部１３の下流側に配置される。ノズル１の拡散部１４は、気泡混入水が当接するような位置に配置される。
ノズル１の拡散部１４は、気泡混入水が拡散部１４に当接することによって、気泡混入水の水勢が弱まるとともに気泡混入水が拡散するように構成される。
【００２０】
このように構成されるノズル１では、気泡混入水が拡散部１４に当接することによって気泡混入水の水勢が弱められることとなる。
もっとも、ノズル１では、絞り部１２から下流側へ流出した直後の水（水の流出口から流入した水）の水勢は弱められておらず、絞り部１２から下流側へ流出する水の空気の吸引力も低下しない。
このため、ノズル１では、空気導入部１３において、絞り部１２から下流側へ流出した水（水勢が弱められていない水）に確実に空気を混入させることができる。
以上のようにして、ノズル１は、混入される気泡の量が減少することを防止しつつ水勢を弱めて気泡混入水を、第二筒部材４２の下流側端部の開口４４から吐出するように構成される。
したがって、ノズル１によれば、気泡混入水による洗浄効果が低下することを防止しつつ洗浄対象が損傷することを防止することができる。
【００２１】
また、ノズル１では、気泡混入水が拡散部１４に当接することによって気泡混入水が拡散することとなる（図５参照）。
そして、ノズル１では、前記気泡混入水が拡散することによって、気泡混入水の吐出範囲が広がることとなる。
このため、ノズル１によれば、従来のノズルに比べて前記洗浄対象の洗浄作業を容易におこなうことができる。
【００２２】
ノズル１の溶解部１５は、固形剤５６が配置されるように構成される。
ノズル１の溶解部１５は、気泡混入水によって（気泡混入水に接触することによって）溶解部１５に配置される固形剤５６を溶解させて、当該気泡混入水を所定の溶液として流出するように構成される。
ノズル１の溶解部１５は、所定の溶液によって（所定の溶液に接触することによって）溶解部１５に配置される固形剤５６を溶解させて、所定の溶液中における溶解された固形剤５６の成分の濃度を高くして、所定の溶液を流出するように構成される。
【００２３】
ノズル１における溶解部１５における気泡混入水（または所定の溶液）の入口の開口１５ａ（以下「入口の開口１５ａ」という）は、絞り部１２の下流側、且つ、空気導入部１３の出口の開口１３ｂの下流側に配置される。
ノズル１における溶解部１５における所定の溶液の出口の開口１５ｂ（以下「出口の開口１５ｂ」という）は、空気導入部１３の中途部（空気導入部１３の入口の開口１３ａの下流側、且つ、空気導入部１３出口の開口１３ｂの上流側）に配置される。
【００２４】
ノズル１の溶解部１５は、溶解部１５内の所定の液体が、絞り部１２から下流側へ水が流出することによって吸引されて溶解部１５の出口の開口１５ｂを介して溶解部１５から流出するとともに、気泡混入水のうち少なくとも一部（または、出口の開口１５ｂから流出した所定の液体の一部）が、溶解部１５の入口の開口１５ａを介して溶解部１５内に流入するように構成される。
ノズル１は、前記溶解部１５内に流入する気泡混入水または所定の溶液によって固形剤５６を溶解して所定の溶液として溶解部１５から流出させ、当該所定の溶液を吐出するように構成される。
【００２５】
以上のように、ノズル１は、絞り部１２から下流側へ水が流出することによって吸引されて所定の液体が溶解部１５から流出するとともに、気泡混入水のうち少なくとも一部が溶解部１５内に流入するように構成される溶解部１５を具備する。
したがって、ノズル１によれば、従来のノズル（絞り部から下流側へ水が流出しても、所定の溶液が吸引されて溶解部から流出せず、また、気泡混入水が吸引されて溶解部に流入するように構成されないもの）に比べてより確実に、気泡混入水（気泡混入水のうち少なくとも一部）を溶解部１５に流入させて、気泡混入水によって溶解部１５に配置される固形剤５６を溶解させて所定の溶液とし、所定の液体を溶解部１５から流出させることができる。
【００２６】
ここで、ノズル１の溶解部１５に配置される固形剤５６とは、気泡混入水が接触することによって溶解可能なもの（例えば、気泡混入水（水）が接触することによって溶解可能な、固形洗剤、固形塗料剤、固形薬剤、または、固形炭酸剤等）を示す。
また、前記所定の溶液とは、固形剤５６が溶解されたものが気泡混入水に混入されたものを示す。
【００２７】
次に、ノズル１の具体的構成について説明する。
ノズル１は、接続部材２０と、絞り部材３０と、第一筒部材４０と、第二筒部材４２と、固形剤配置部材５０と、固形剤５６と、を具備し、気泡混入水を吐出するとともに所定の溶液を吐出するように構成される。
【００２８】
ノズル１の接続部材２０は、その上流側端部および下流側端部が開口する略円筒状に形成される。
ノズル１の接続部材２０における上流側部は、流入部１１として構成される。
ノズル１の接続部材２０は、その上流側部が水の流出口に接続可能に構成される。
ノズル１の接続部材２０は、その上下中途部（上流側部と下流側部との間）に、フランジ２１が形成されて構成される。ノズル１の接続部材２０におけるフランジ２１は、側方に突出するように形成される。
ノズル１の接続部材２０は、その下流側部（フランジ２１よりも下流側の部分）が絞り部材３０の上流側端部の開口から絞り部材３０内に嵌挿可能に構成される。
【００２９】
ノズル１の絞り部材３０は、その上流側端部が開口するとともに下流側端部に底部３１を有して、有底略筒状に形成される。
ノズル１の絞り部材３０における上流側端部には、フランジ３２が形成される。ノズル１の絞り部材３０におけるフランジ３２は、側方に突出するように形成される。
【００３０】
ノズル１の絞り部材３０は、凹部３３を有する。ノズル１の絞り部材３０における凹部３３は、底部３１の上流側の面の中央部に形成される。ノズル１の絞り部材３０における凹部３３は、底部３１の上流側の面が略半球状に凹むように形成される。
【００３１】
ノズル１の絞り部材３０は、複数個の絞り孔３４・３４・・・を有する。
ノズル１の絞り部材３０における絞り孔３４は、ノズル１内に流入した水の流れを絞って水の流速を増加させるものである。ノズル１の絞り部材３０における複数個の絞り孔３４で、絞り部１２が構成される。
ノズル１の絞り部材３０における絞り孔３４は、絞り部材３０内から絞り部材３０外に底部３１を貫通するように形成される。ノズル１の絞り部材３０における絞り孔３４は、上流側の開口３５が凹部３３に開口するように形成される。ノズル１の絞り部材３０の絞り孔３４は、周方向に６０度ずつ位相をずらして形成される。
ノズル１の絞り部材３０の絞り孔３４は、当該絞り孔３４におけるそれぞれの下流側の開口３６から流出する三本の水流がノズル１の軸心方向に平行に流出するようにそれぞれ形成される。
なお、ノズル１の絞り部材３０における絞り孔３４の数は、三個であることに限定するものではない。
【００３２】
ノズル１の絞り部材３０は、切欠き３７を有する。
ノズル１の絞り部材３０における切欠き３７は、周方向に１８０度ずつ位相をずらすようにして（絞り部材３０の軸心を中心にして対向するような位置に）、それぞれ形成される。ノズル１の絞り部材３０における切欠き３７は、フランジ３２を含むその外周面の一部が上端部から下端部に亘って絞り部材３０の軸心方向に沿って切欠かれるように、それぞれ形成される。
【００３３】
ノズル１の第一筒部材４０は、その上流側端部および下流側端部が開口する円筒状に形成される。
ノズル１の第一筒部材４０は、その上下中途部（上流側部と下流側部との間）から下流側端部にいくに従って次第に縮径されて、上流側端部の開口の内経が下流側端部の開口の内経よりも大きくなるように形成されて、構成される。
ノズル１の第一筒部材４０は、その上流側部内に絞り部材３０におけるフランジ３２よりも下流側の部分を嵌挿可能に構成される。
【００３４】
ノズル１の第一筒部材４０は、第一貫通孔４１を有する。
ノズル１の第一筒部材４０の第一貫通孔４１は、第一筒部材４０の上流側端部に配置される。
ノズル１の第一筒部材４０の第一貫通孔４１は、第一筒部材４０の上流側端部の外面から内面に貫通するように形成される。ノズル１の第一筒部材４０の第一貫通孔４１は、流出パイプ５３の一端部を嵌挿可能に構成される。
【００３５】
ノズル１の第二筒部材４２は、その上流側端部および下流側端部が開口する円筒状に形成される。
ノズル１の第二筒部材４２は、その上流側部が第一筒部材４０における下流側端部に嵌挿可能に構成される。
ノズル１の第二筒部材４２は、その上流側部を除く部分（中途部および下流側部）の外径が上流側部よりも小さく形成されて構成される。
ノズル１の第二筒部材４２は、その上流側端から第二筒部材４２の上流側部と中途部との境界部分における内面が下流側に行くに従って縮径されて、その上流側端から第二筒部材４２の上流側部と中途部との境界部分における内部に傾斜面を有するように（テーパ状に）構成される。
【００３６】
ノズル１の第二筒部材４２は、第二貫通孔４３を有する。
ノズル１の第二筒部材４２の第二貫通孔４３は、第二筒部材４２の中途部に配置される。
ノズル１の第二筒部材４２の第二貫通孔４３は、第二筒部材４２の中途部の外面から内面に貫通するように形成される。ノズル１の第二筒部材４２の第二貫通孔４３は、流入パイプ５４の一端部を嵌挿可能に構成される。
【００３７】
ノズル１の固形剤配置部材５０は、溶解部１５として構成される。
ノズル１の固形剤配置部材５０は、その内部（固形剤配置室５５）に固形剤５６が配置可能に構成される。ノズル１の固形剤配置部材５０は、気泡混入水によって固形剤配置部材５０の固形剤配置室５５に配置される固形剤５６を溶解させて、当該気泡混入水を所定の溶液として流出するように構成される。
ノズル１の固形剤配置部材５０は、所定の溶液によって（所定の溶液に接触することによって）固形剤配置部材５０の固形剤配置室５５に配置される固形剤５６を溶解させて、所定の溶液中における溶解された固形剤５６の成分の濃度を高くして、所定の溶液を流出するように構成される。
ノズル１の固形剤配置部材５０は、身５１と、蓋５２と、流出パイプ５３と、流入パイプ５４と、を備える。ノズル１の固形剤配置部材５０は、その身５１に蓋５２をすることによって、その内部に固形剤５６が配置可能な空間（固形剤配置室５５）が形成されるように構成される。
【００３８】
ノズル１の固形剤配置部材５０の身５１は、流出貫通孔５１ａと、流入貫通孔５１ｂと、を有して構成される。
ノズル１における固形剤配置部材５０の身５１の流出貫通孔５１ａは、身５１の底部の外面から内面に貫通するように形成される。ノズル１における固形剤配置部材５０の身５１の流出貫通孔５１ａは、流出パイプ５３の他端部が嵌挿されて構成される。
ノズル１における固形剤配置部材５０の身５１の流入貫通孔５１ｂは、身５１の側部の外面から内面に貫通するように形成される。ノズル１における固形剤配置部材５０の身５１の流入貫通孔５１ｂは、流入パイプ５４の他端部が嵌挿されて構成される。
【００３９】
ノズル１の固形剤配置部材５０の流出パイプ５３は、管状に構成される。ノズル１の固形剤配置部材５０の流出パイプ５３の内部は、固形剤配置室５５内から所定の溶液が流出する流路として構成される。
ノズル１における固形剤配置部材５０は、その流出パイプ５３の他端部が固形剤配置部材５０の身５１の流出貫通孔５１ａに嵌挿されて構成される。
ノズル１における固形剤配置部材５０の流出パイプ５３の一端部は、第一筒部材４０の第一貫通孔４１に嵌挿可能に構成される。
【００４０】
ノズル１の固形剤配置部材５０の流入パイプ５４は、管状に構成される。ノズル１の固形剤配置部材５０の流入パイプ５４の内部は、固形剤配置室５５内に気泡混入水（または所定の溶液）が流入する流路として構成される。
ノズル１における固形剤配置部材５０は、その流入パイプ５４の他端部が固形剤配置部材５０の身５１の流入貫通孔５１ｂに嵌挿されて構成される。
ノズル１における固形剤配置部材５０の流入パイプ５４の一端部は、第二筒部材４２の第二貫通孔４３に嵌挿に嵌挿可能に構成される。
【００４１】
そして、ノズル１は、その絞り部材３０の上流側部内に、絞り部材３０の上流側端部の開口から接続部材２０におけるフランジ２１よりも下流側の部分が嵌挿されて構成される。
前記ノズル１の絞り部材３０に接続部材２０が嵌挿された状態では、接続部材２０内と絞り部材３０内とが連通した状態となる。
ノズル１は、接続部材２０における上流側部から流入した水が、接続部材２０内を通って絞り部材３０内に流入して、絞り部材３０の絞り孔３４におけるそれぞれの下流側の開口３６から流出するように、構成される。
【００４２】
ノズル１は、その第一筒部材４０内に、第一筒部材４０の上流側端部の開口から絞り部材３０におけるフランジ３２よりも下流側の部分が嵌挿されて構成される。このとき、ノズル１は、絞り部材３０の一方の切欠き３７の外側に第一筒部材４０の第一貫通孔４１が位置し、第一筒部材４０の第一貫通孔４１と空気導入部１３とが空気導入部１３の中途部において連通するように、第一筒部材４０内に絞り部材３０が嵌挿されて構成される。
ノズル１は、その第一筒部材４０内に、第一筒部材４０の下流側端部の開口から第二筒部材４２の上流側部が嵌挿されて構成される。
【００４３】
前記ノズル１の第一筒部材４０に絞り部材３０が嵌挿された状態では、第一筒部材４０の内周面と絞り部材３０の切欠き３７が形成されていない部分の外周面とが当接した状態となるが、第一筒部材４０の内周面と絞り部材３０の切欠き３７が形成される部分の外面との間には空間が形成される。当該ノズル１の絞り部材３０における切欠き３７と第一筒部材４０の内周面とで形成される空間で、空気導入部１３が構成される。
ノズル１では、絞り部材３０における切欠き３７の上端部の開口が、空気導入部１３の入口の開口１３ａとして構成される。また、ノズル１の絞り部材３０における切欠き３７の下端部の開口が、空気導入部１３における空気の出口の開口１３ｂとして構成される。
そして、ノズル１は、絞り部材３０の絞り孔３４（絞り部１２）におけるそれぞれの下流側の開口３６から水が流出することによって吸引されて空気導入部１３（空気導入部１３の出口の開口１３ａ）を介して空気が導入されるとともに、当該導入された空気が混入されて、当該絞り孔３４の下流側の開口３６から流出した水を気泡混入水とするように構成される。
【００４４】
ノズル１は、前記固形剤配置部材５０の固形剤配置室５５に固形剤５６が配置されて構成される。
ノズル１は、固形剤配置部材５０の流出パイプ５３の一端部が第一筒部材４０の第一貫通孔４１に嵌挿され、固形剤配置部材５０の流入パイプ５４の一端部が第二筒部材４２の第二貫通孔４３に嵌挿されて、構成される。
前記ノズル１における固形剤配置部材５０の流出パイプ５３が嵌挿された状態では、固形剤配置部材５０の流出パイプ５３を介して、固形剤配置部材５０の固形剤配置室５５と第一筒部材４０内（空気導入部１３）とが連通するように構成される。
前記ノズル１における固形剤配置部材５０の流入パイプ５４が嵌挿された状態では、固形剤配置部材５０の流入パイプ５４を介して、固形剤配置部材５０の固形剤配置室５５と第二筒部材４２内（絞り部１２の下流側の空間、または、空気導入部１３の出口の開口１３ｂの下流側の空間）とが連通するように構成される。
ノズル１における固形剤配置部材５０の流出パイプ５３の一端部の開口は、空気導入部１３の中途部（空気導入部１３の入口の開口１３ａの下流側、且つ、空気導入部１３出口の開口１３ｂの上流側）に配置される。ノズル１では、固形剤配置部材５０の流出パイプ５３の一端部の開口が、溶解部１５の出口の開口１５ｂとして構成される。
ノズル１における固形剤配置部材５０の流入パイプ５４の一端部の開口は、絞り部１２の下流側、且つ、空気導入部１３の出口の開口１３ｂの下流側に配置される。ノズル１では、固形剤配置部材５０の流入パイプ５４の一端部の開口が、溶解部１５の入口の開口１５ａとして構成される。
【００４５】
ノズル１の固形剤配置部材５０は、固形剤配置部材５０の固形剤配置室５５内の所定の液体が、絞り部材３０の絞り孔３４における下流側の開口３６から水が流出することによって吸引されて固形剤配置部材５０の流出パイプ５３の一端部の開口を介して固形剤配置部材５０の固形剤配置室５５内から流出するとともに、気泡混入水のうち少なくとも一部が、固形剤配置部材５０の流入パイプ５４の一端部の開口を介して固形剤配置部材５０の固形剤配置室５５内に流入するように構成される。
ノズル１の固形剤配置部材５０は、気泡混入水によって固形剤配置部材５０の固形剤配置室５５内の固形剤５６を溶解させて、当該気泡混入水を所定の溶液として流出するように構成される。
そして、ノズル１は、固形剤配置部材５０の固形剤配置室５５内に流入する気泡混入水または所定の溶液によって固形剤５６を溶解して所定の溶液として固形剤配置部材５０から流出させ、当該所定の溶液を第二筒部材４２の下流側端部の開口４４から吐出するように構成される。
【００４６】
以上のように、ノズル１は、絞り部材３０の絞り孔３４（絞り部）から下流側へ水が流出することによって吸引されて所定の液体が固形剤配置部材５０の流出パイプ５３の一端部の開口を介して固形剤配置部材５０（溶解部１５）から流出するとともに、気泡混入水のうち少なくとも一部が固形剤配置部材５０の流入パイプ５４の一端部の開口を介して固形剤配置部材５０（溶解部１５）内に流入するように構成される固形剤配置部材５０を具備する。
したがって、ノズル１によれば、従来のノズルに比べてより確実に、気泡混入水（気泡混入水のうち少なくとも一部）を固形剤配置部材５０（溶解部１５）に流入させて、気泡混入水によって固形剤配置部材５０の固形剤配置室５５に配置される固形剤５６を溶解させて所定の溶液とし、所定の液体を固形剤配置部材５０（溶解部１５）から流出させることができる。
【００４７】
ノズル１の絞り部材３０は、拡散体３８を有する。
ノズル１の絞り部材３０における拡散体３８は、気泡混入水の水勢を弱めるとともに、気泡混入水を拡散させるものである。ノズル１の絞り部材３０における拡散体３８は、拡散部１４を構成する。
ノズル１の絞り部材３０における拡散体３８は、絞り孔３４の下流側の開口３６の近傍に位置するように配置される。ノズル１の絞り部材３０における拡散体３８は、底部３１（絞り孔３４の下流側の開口３６）の下流側に位置するように配置される。ノズル１の絞り部材３０における拡散体３８は、絞り部材３０の底部３１の中央部（絞り孔３４よりも中央側）から下流側に突出するように配置される。ノズル１の絞り部材３０における拡散体３８は、気泡混入水が当接するように配置される。
ノズル１の絞り部材３０における拡散体３８は、略円錐状に形成される。ノズル１の絞り部材３０における拡散体３８は、下流側にいくに従って末広がりのテーパ状に形成される。
ノズル１の絞り部材３０における拡散体３８は、その下流側端（外側端）が絞り孔３４よりも外側（第二筒部材４２の内周面側）に位置するように、形成される。ノズル１の絞り部材３０における拡散体３８は、その上流側の斜面が絞り孔３４の軸心の延長線上に位置するように、形成される。ノズル１の絞り部材３０における拡散体３８は、その上流側の斜面が絞り部材３０の絞り孔３４から流出する気泡混入水の流出方向の延長線上に位置するように、形成される。
【００４８】
このように構成されるノズル１では、絞り部材３０が拡散体３８（拡散部１４）を有するため、ノズル１の軸心方向に絞り部材３０の絞り孔３４（絞り部１２）から流出する気泡混入水は、絞り部材３０の拡散体３８に当接することとなる。
そして、ノズル１では、絞り部材３０における拡散体３８に気泡混入水が当接することによって気泡混入水の水勢が弱められることとなる。
もっとも、ノズル１では、絞り部材３０の絞り孔３４から流出した直後の水（水の流出口から流入した水）の水勢は弱められておらず、絞り部材３０の絞り孔３４から下流側へ流出する水の空気の吸引力も低下しない。
このため、ノズル１では、空気導入部１３において、絞り部材３０の絞り孔３４から流出した水（水勢が弱められていない水）に確実に空気を混入させることができる。
【００４９】
以上のようにして、ノズル１では、混入される気泡の量が減少することを防止しつつ水勢を弱めて気泡混入水を吐出することができる。
したがって、ノズル１によれば、気泡混入水による洗浄効果が低下することを防止しつつ洗浄対象が損傷することを防止することができる。
【００５０】
また、ノズル１では、絞り部材３０における拡散体３８に気泡混入水が当接することによって気泡混入水が拡散することとなる（図５参照）。
そして、ノズル１では、前記気泡混入水が拡散することによって、気泡混入水の吐出範囲が広がることとなる。このとき、ノズル１では、絞り部材３０における拡散体３８に当接した気泡混入水が下流側にいくに従って末広がりに拡散して、その吐出範囲が広がることとなる。
このため、ノズル１によれば、従来のノズル（気泡混入水を筋状に吐出するノズル）に比べて洗浄対象（表面が柔らかく形くずれが起こりやすいく、または、筋状で強い水勢によって付着した汚れを剥離できなくとも十分に洗浄できる洗浄対象）の洗浄作業を容易におこなうことができる。
【００５１】
また、ノズル１は、第二筒部材４２が絞り部材３０の拡散体３８下流側端の外側に位置するとともに、第二筒部材４２の下流側端部の開口４４が絞り部材３０の拡散体３８の下流側端よりも下流側に位置するように構成される。
ノズル１の第二筒部材４２は、前記絞り部材３０の拡散体３８に当接して拡散した気泡混入水が、第二筒部材４２の内周面（内面）に当接するように配置される。ノズル１の第二筒部材４２は、前記絞り部材３０の拡散体３８に当接して拡散した気泡混入水が、第二筒部材４２の下流側端部の開口４４から流出するように構成される。
このようにして、ノズル１は、前記絞り部材３０の拡散体３８に当接して拡散した気泡混入水が、第二筒部材４２の内周面に当接して第二筒部材４２の下流側端部の開口４４から吐出されるように、構成される。
【００５２】
このため、ノズル１では、前記絞り部材３０の拡散体３８に当接して拡散した気泡混入水を、その吐出範囲を広げた状態で洗浄対象に向けて吐出することができる（図５参照）。
したがって、ノズル１によれば、混入される気泡の量が減少することを防止しつつ水勢を弱めるとともに吐出範囲が広げられた気泡混入水を、洗浄対象物に確実に吐出することができる。
【００５３】
ノズル１は、第二筒部材４２の中途部が、絞り部材３０の拡散体３８下端部の外側に位置するように構成される。ノズル１は、第二筒部材４２の第二貫通孔４３が、絞り部材３０の拡散体３８下端部の外側に位置するように構成される。ノズル１は、前記絞り部材３０の拡散体３８に当接して拡散した気泡混入水が、固形剤配置部材５０の流入パイプ５４（第二筒部材４２の第二貫通孔４３）を介して、固形剤配置室５５（溶解部１５）内に流入するように構成される。
したがって、ノズル１によれば、より確実に、気泡混入水（気泡混入水のうち少なくとも一部）を固形剤配置部材５０（溶解部１５）に流入させることができる。
【００５４】
次に、本発明の第二実施形態に係るノズル１について、図６を用いて説明する。
なお、第二実施形態に係るノズル１の説明は、第一実施形態に係るノズル１と同様の構成の部分については適宜省略し、第一実施形態に係るノズル１の構成と異なる部分を中心に説明する。
【００５５】
ノズル１は、図６に示すように、接続部材２０と、絞り部材３０と、第一筒部材４０と、第二筒部材４２と、固形剤配置部材５０と、固形剤５６と、を具備し、気泡混入水を吐出するとともに所定の溶液を吐出するように構成される。
【００５６】
ノズル１の絞り部材３０は、切欠き３７を有する。
ノズル１の絞り部材３０における切欠き３７は、フランジ３２を除くその外周面（フランジ３２より下方の部分の外周面）の一部が上端部から下端部に亘って絞り部材３０の軸心方向に沿って切欠かれるように、それぞれ形成される。
ノズル１の第一筒部材４０に絞り部材３０が嵌挿された状態では、第一筒部材４０の内周面と絞り部材３０の切欠き３７が形成されていない部分の外周面とが当接した状態となるが、第一筒部材４０の内周面と絞り部材３０の切欠き３７が形成される部分の外面との間には空間が形成される。
ノズル１では、絞り部材３０の切欠き３７および絞り部材３０の底部３１の外側の面と、第一筒部材４０の内周面と、で形成される空間で、空気導入部１３が構成される。
ノズル１では、固形剤配置部材５０の流入パイプ５４の一端部の開口が、溶解部１５の入口の開口１５ａとして構成されるとともに、空気導入部１３の入口の開口１３ａとして構成される。
【００５７】
ノズル１は、絞り部材３０の絞り孔３４（絞り部１２）におけるそれぞれの下流側の開口３６から水が流出することによって吸引されて、空気が、固形剤配置部材５０の流入パイプ５４の一端部の開口（空気導入部１３の入口の開口１３ａ）から固形剤配置部材５０内に流入して流出パイプ５３の一端部の開口から流出し、部材３０における切欠き３７の下端部の開口（空気導入部１３の出口の開口１３ｂ）に流出するように構成される。
このようにして、ノズル１では、空気導入部１３（空気導入部１３の出口の開口１３ａ）を介して空気が導入されるとともに、当該導入された空気が混入されて、当該絞り孔３４の下流側の開口３６から流出した水を気泡混入水とするように構成される。
【００５８】
そして、ノズル１の固形剤配置部材５０は、気泡混入水によって固形剤配置部材５０の固形剤配置室５５内の固形剤５６を溶解させて、当該気泡混入水を所定の溶液として流出するように構成される。
そして、ノズル１は、固形剤配置部材５０の固形剤配置室５５内に流入する気泡混入水または所定の溶液によって固形剤５６を溶解して所定の溶液として固形剤配置部材５０から流出させ、当該所定の溶液を第二筒部材４２の下流側端部の開口４４から吐出するように構成される。
したがって、ノズル１によれば、従来のノズルに比べてより確実に、気泡混入水（気泡混入水のうち少なくとも一部）を固形剤配置部材５０（溶解部１５）に流入させて、気泡混入水によって固形剤配置部材５０の固形剤配置室５５に配置される固形剤５６を溶解させて所定の溶液とし、所定の液体を固形剤配置部材５０（溶解部１５）から流出させることができる。
【００５９】
次に、本発明の第三実施形態に係るノズル１について、図７または図８を用いて説明する。
なお、第三実施形態に係るノズル１の説明は、第一実施形態または第二実施形態に係るノズル１と同様の構成の部分については適宜省略し、第一実施形態または第二実施形態に係るノズル１の構成と異なる部分を中心に説明する。
【００６０】
ノズル１は、図７または図８に示すように、接続部材２２と、水流方向変換部材６０と、絞り部材３０と、回転体７０と、第一筒部材４０と、第二筒部材４２と、固形剤配置部材５０と、固形剤５６と、を具備し、脈動するような気泡混入水を吐出するとともに、所定の溶液を吐出するように構成される。
【００６１】
ノズル１の接続部材２２は、その上流側端部および下流側端部が開口する略円筒状に形成される。
ノズル１の接続部材２２における上流側部は、流入部１１として構成される。ノズル１の接続部材２２における上流側部は、水の流出口に接続可能に構成される。
【００６２】
ノズル１の水流方向変換部材６０は、接続部材２２の下流側に配置される。
ノズル１の水流方向変換部材６０は、接続部材２２から流出する水の水流方向を変換するものである。
ノズル１の水流方向変換部材６０は、その上流側端部が開口され、下流側端部に底部６１を有して、有底略筒状に形成される。
【００６３】
ノズル１の水流方向変換部材６０は、その上流側端部にフランジ６２が形成されて構成される。ノズル１の水流方向変換部材６０におけるフランジ６２は、側方に突出するように形成される。
ノズル１の水流方向変換部材６０は凸部６５を有する。ノズル１の水流方向変換部材６０における凸部６５は、底部６１の中央部から下流側に突出するように形成される。
ノズル１の水流方向変換部材６０は、その下流側部（フランジ６２よりも下流側の部分）が絞り部材３０の上流側端部の開口から絞り部材３０内に嵌挿可能に構成される。
【００６４】
ノズル１の水流方向変換部材６０は、貫通孔６３を有する。
ノズル１の水流方向変換部材６０における貫通孔６３は、周方向に１８０度位相をずらすようにして（水流方向変換部材６０の軸心を中心に対向する位置に）、その上下中途部（上流側部と下流側部との間）にそれぞれ形成される。ノズル１の水流方向変換部材６０における貫通孔６３は、水流方向変換部材６０における中途部の外周面から内周面に（半径方向に）貫通するように、それぞれ形成される。
【００６５】
ノズル１の水流方向変換部材６０は、切欠き６４を有する。
ノズル１の水流方向変換部材６０における切欠き６４は、周方向に１８０度位相をずらすようにして（水流方向変換部材６０の軸心を中心に対向する位置に）それぞれ形成される。ノズル１の水流方向変換部材６０における切欠き６４は、底部６１の下流側の面および中途部の外周面が切欠かれるように形成される。ノズル１の水流方向変換部材６０における切欠き６４は、その底部６１から、二個の貫通孔６３のうち一方の貫通孔６３に亘るように形成される。
【００６６】
ノズル１は、接続部材２２における下流側端に水流方向変換部材６０の上流側端を当接するようにして接続部材２２と水流方向変換部材６０とが配置されて、構成される。ノズル１は、接続部材２２に水流方向変換部材６０が固定されて、構成される。前記ノズル１の接続部材２２と水流方向変換部材６０とが配置された状態では、接続部材２２内と水流方向変換部材６０内とが連通した状態となる。
ノズル１では、接続部材２２の下流側端部の開口から流出した水が、水流方向変換部材６０の上流側端部の開口から水流方向変換部材６０内に流入するように、構成される。
【００６７】
ノズル１は、その絞り部材３０内の上流側部内に、絞り部材３０の上流側端部の開口から水流方向変換部材６０におけるフランジ６２よりも下流側の部分が嵌挿されて構成される。
ノズル１の水流方向変換部材６０が絞り部材３０に嵌挿された状態では、水流方向変換部材６０の貫通孔６３および切欠き６４を介して、水流方向変換部材６０内と絞り部材３０内とが連通した状態となる。
【００６８】
ノズル１は、水流方向変換部材６０の上流側端部の開口から流入した水が、その貫通孔６３および切欠き６４を通って絞り部材３０内に流入して、絞り部材３０の絞り孔３４におけるそれぞれの下流側の開口３６から流出するように構成される。
ノズル１は、接続部材２２から水流方向変換部材６０内に流入した水が、接続部材２２の貫通孔６３および切欠き６４とを流通することにより、水の水流方向が水流方向変換部材６０内への流入方向（水流方向変換部材６０の軸方向）から周方向となって、絞り部材３０内に流入するように構成される。
つまり、ノズル１は、水流方向変換部材６０から流出する水が、水流方向が変換されて螺旋状の流水（平面視で時計回りの水流）となって絞り部材３０に流入するように構成さる。
【００６９】
ノズル１の回転体７０は、絞り部材３０の絞り孔３４（絞り部１２）の上流側の開口３５の閉鎖と開放とを隣接する絞り孔３４ごとに順次おこなうように回転することによって、絞り孔３４（絞り部１２）への水の流入を断続的に遮断するものである。
【００７０】
ノズル１の回転体７０は、棒状の部材の軸心方向中央部に円盤状の部材が互いの軸心を一致させて設けられたような形状に構成される。ノズル１の回転体７０における棒状部分の両端部は、それぞれ半球状に構成される。
【００７１】
ノズル１の回転体７０は、棒状部分の軸心を傾斜させるようにして絞り部材３０内に配置される。ノズル１の回転体７０は、棒状部分の一端部７１（上流側部）をその他端部７２（下流側部）よりも外周側に向けて水流方向変換部材６０の凸部６５の外側に配置させるとともに、棒状部分の他端部７２を絞り部材３０の凹部３３に位置させるようにして、配置される。
ノズル１の回転体７０は、棒状部分の軸心の傾斜する向きを変えるように回転可能に構成される。ノズル１の回転体７０は、棒状部分の他端部７２が絞り部材３０の凹部３３に位置した状態で、棒状部分の一端部７１が絞り部材３０の内周面に沿って水流方向変換部材６０の凸部６５の周りを移動するように、回転可能に絞り部材３０内に配置される。
【００７２】
ノズル１の回転体７０は、絞り部材３０内において、前記水流方向変換部材６０によって水流方向が変換されて螺旋状の水流を回転体７０の円盤状部分で受けることによって、回転するように構成される。
このとき、ノズル１では、回転体７０が回転して、棒状部分の他端部７２が絞り部材３０における絞り孔３４の上流側の開口３５上に位置したときに、当該棒状部分の他端部７２で当該絞り部材３０における絞り孔３４の上流側の開口３５を閉鎖する。
ノズル１では、回転体７０がさらに回転して、前記絞り部材３０の絞り孔３４の上流側の開口３５を通過したときに、当該絞り孔３４の上流側の開口３５を開放する。
【００７３】
ノズル１は、回転体７０が回転することによって、回転体７０の棒状部分の他端部７２で絞り部材３０における絞り孔３４の上流側の開口３５の閉鎖と開放とを隣接する絞り孔３４ごとに順次おこなうように構成される。
ノズル１は、回転体７０が回転することによって、絞り部材３０における絞り孔３４への水の流入を断続的に遮断するように構成される。
このようにして、ノズル１は、回転体７０が回転することによって、絞り部材３０における絞り孔３４（絞り部１２）への水の流入を断続的に遮断し、絞り部材３０における複数個の絞り孔３４のうち水が流入する絞り孔３４を断続的に変更して、絞り孔３４の下流側の開口３６から脈動するような水を流出するように構成される。
そして、ノズル１は、前記脈動するような水に空気導入部１３における空気の出口から導入された空気が混入されて、前記脈動するような水を脈動するような気泡混入水としてこれを吐出するとともに、所定の溶液を吐出するようにように、構成される。
【００７４】
このように構成されたノズル１では、前記脈動するような気泡混合水を洗浄対象に吐出すると、当該脈動するような気泡混合水を洗浄対象に吐出する接触した洗浄対象物は、気泡混入水内の気泡混入水の洗浄効果に加えて、脈動するような気泡混合水の振動によっても洗浄されることとなる。
このようにして、ノズル１では、これから吐出する気泡混入水の洗浄効果を向上させることができる。
【符号の説明】
【００７５】
１    ノズル
１１  流入部
１２  絞り部
１３  空気導入部
１４  拡散部
１５  溶解部
２０  接続部材
３０  絞り部材
４１  第一筒部材
４２  第二筒部材
５０  固形剤配置部材
５６  固形剤
【図１】
2014050772.tif 000003
【図２】
2014050772.tif 000004
【図３】
2014050772.tif 000005
【図４】
2014050772.tif 000006
【図５】
2014050772.tif 000007
【図６】
2014050772.tif 000008
【図７】
2014050772.tif 000009
【図８】
2014050772.tif 000010